(57)【要約】【課題】ユーザが任意のページへアクセスするのに応じて時々刻々と変わりうるユーザの興味にマッチする関連情報をタイムリーに提供し、また、関連情報の一覧表示における各ページの内容をより把握しやすくする。【解決手段】ネットワークに接続された情報処理サーバ１０１および端末装置において、端末装置で表示したコンテンツからユーザが興味を持つと思われる部分情報を抽出し、それを情報処理サーバ１０１へ送信し、この部分情報に関連した情報を検索して端末のブラウザ１２０に送り返すことによって、そのユーザが興味を持つと思われる情報に関連する情報をユーザへタイムリーに提示し、また、検索結果のページ集合中において各ページを特徴付ける文を抽出し、一覧表示として表示する。【選択図】    図１
2004348241.tif 000002
【特許請求の範囲】
【請求項１】
Ｗｅｂページを閲覧するブラウザに情報を提供する情報提供方法であって、
前記ブラウザの表示領域からユーザが注目したＷｅｂコンテンツの情報を抽出する手順と、
抽出した情報から検索キーを生成する手順と、
この検索キーに基づいて前記ブラウザへ提供する第２の情報を検索する手順と、
第２の情報の検索結果を前記ブラウザのＷｅｂコンテンツとともに表示させる手順と、
を含むことを特徴とする情報提供方法。
【請求項２】
前記Ｗｅｂコンテンツの情報を抽出する手順は、ユーザのブラウザ操作の履歴に基づいて、ユーザが注目したテキストまたは画像からなるＷｅｂコンテンツの抽出領域を決定することを特徴とする請求項１に記載の情報提供方法。
【請求項３】
前記第２の情報を検索する手順は、検索した結果をグループに分割する手順を含むことを特徴とする請求項１に記載の情報提供方法。
【請求項４】
前記第２の情報を検索する手順は、前記検索キーに加えて予め設定したユーザ情報に基づいて検索することを特徴とする請求項１または請求項３に記載の情報提供方法。
【請求項５】
前記第２の情報を検索する手順は、予め設定したデータベースまたはＷｅｂサイトの少なくとも一方から第２の情報を検索することを特徴とする請求項１ないし請求項４のいずれか一つに記載の情報提供方法。
【請求項６】
前記第２の情報を検索する手順は、Ｗｅｂサイト毎に予め設定した情報収集規則に従って検索を実行することを特徴とする請求項１ないし請求項４のいずれか一つに記載の情報提供方法。
【請求項７】
前記第２の情報の検索結果をブラウザのＷｅｂコンテンツとともに表示させる手順は、第２の情報の検索結果から各情報の特徴文を抽出する手順と、この特徴文を前記ブラウザに表示する手順とを含むことを特徴とする請求項１または請求項３に記載の情報提供方法。
【請求項８】
前記特徴文を抽出する手順は、第２の情報の複数の検索結果をグループ化するとともに、グループ間で各グループ内を特徴付ける特徴文を抽出し、
前記ブラウザに表示する手順は、前記グループ毎の特徴文を一覧表示することを特徴とする請求項７に記載の情報提供方法。
【請求項９】
前記特徴文は、前記第２の情報のＵＲＬに関連付けられたことを特徴とする請求項７または請求項８つに記載の情報提供方法。
【請求項１０】
ネットワークを介して接続された端末のブラウザに情報を提供する情報提供サーバであって、
前記端末が閲覧したＷｅｂコンテンツの情報から検索キーを抽出する検索キー抽出手段と、
前記検索キーに基づいて予め設定したデータベースまたはＷｅｂサイトの少なくとも一方から第２の情報を検索する情報検索手段と、
前記第２の情報の検索結果を前記端末のブラウザに送信し、前記Ｗｅｂコンテンツとともに第２の情報を表示させる第２情報送信手段とを備えたことを特徴とする情報提供サーバ。
【請求項１１】
前記第２情報送信手段は、前記第２の情報の検索結果から各情報の特徴文を抽出する特徴文抽出手段を有し、この特徴文を前記ブラウザに送信することを特徴とする請求項１０に記載の情報提供サーバ。
【請求項１２】
ネットワークを介してＷｅｂコンテンツを表示させるプログラムであって、
Ｗｅｂコンテンツを第１の表示領域に表示する表示手段と、
この第１の表示領域でユーザが注目した情報を抽出する注目情報抽出手段と、
この情報を検索キーとして検索した結果を第２情報として予め設定した第２の表示領域に表示させる第２表示手段と、
をコンピュータに機能させることを特徴とするプログラム。
【請求項１３】
前記注目情報抽出手段は、ユーザの表示操作の履歴に基づいてＷｅｂコンテンツから抽出する領域を決定し、この領域内の情報をユーザが注目した情報として抽出することを特徴とする請求項１２に記載のプログラム。
【発明の詳細な説明】
【０００１】
【発明の属する技術分野】
本発明は、ネットワークに接続された情報処理サーバおよび端末装置において、ユーザが興味を持つと見込まれる情報を効果的にユーザへ提示する方法とその装置に関する。
【０００２】
【従来の技術】
従来から、ＷＷＷ（Ｗｏｒｌｄ  ｗｉｄｅ  Ｗｅｂ）上において、ユーザから別途与えられた情報に従って広告などの提供情報を、それに興味を持つと見込まれるユーザへ提供する方法はいくつか知られている。
【０００３】
例えば、（１）ネットワーク上にユーザ個人のポータルページを用意し、ユーザがあらかじめ登録していた嗜好情報やスケジューラに記載した情報に従って、そのページへアクセスしたユーザへ提供情報を表示する方法として、特許文献１がある。
【０００４】
（２）同じくポータルページに入力された情報にしたがって、提供情報へのＵＲＬ等を記載したメールを送付する方法として、特許文献２がある。
【０００５】
（３）ユーザが検索サイト等へアクセスし、検索のために入力したキーワードに関連する情報を別途提供する方法（これを示す例として、ＧｏｏｇｌｅのＡｄＷｏｒｄｓ（ｔｍ）広告サービス  （ｈｔｔｐ：／／ａｄｗｏｒｄｓ．ｇｏｏｇｌｅ．ｃｏｍ））などがある。
【０００６】
これらの従来技術においては、とくに提供情報がスポンサーからの広告情報である場合、ユーザへ興味を抱かせて積極的にＵＲＬのリンクをクリックしたりすることを誘発させることが重要となる。
【０００７】
また、検索結果の一覧を表示する方法として、（４）従来の検索サイトは検索キーとしてキーワードを入力し、検索された各ページからそのキーワードを含む文を、一覧表示として表示していた。キーワードを含む文にはユーザが興味を持つ情報が含まれる可能性が高いため有効な手法であると考えられる。
【０００８】
【発明が解決しようとする課題】
興味を持つユーザへ関連情報を提供する方法として、上記従来技術（１）では、積極的に提供情報が欲しいユーザの場合に、個人用に用意されたポータルページへ訪れることによって高い確率で嗜好情報に沿った情報が入手できる。
【０００９】
また、上記従来技術（２）の場合は、（１）のように積極的にポータルページへ訪れないユーザへ、メールによって情報の存在を示し、ポータルページへ誘うことが出来る。これら（１）（２）の従来技術は、ユーザが恒常的に持つと思われる嗜好情報を提供するのに便利である。
【００１０】
しかし、ユーザの興味は状況や現在の考えていることに従って時々刻々と変わる可能性がある。従って、今この瞬間にユーザが興味を持つと考えられる情報を提供できるとは限らない。
【００１１】
そこで、上記（３）の従来例では、ユーザが何かの情報を探す場合に多くのユーザが利用する検索サイトにおいて、ついでに関連情報が提供されるため、積極的に検索しようと考えているユーザに、効果的に関連情報を提供できる可能性が高い。しかし、ユーザがその検索サイトを訪れて検索するという作業を行った時に限ってしか、その関連情報を提供することはできない。
【００１２】
もし、ユーザがＷＷＷ上にある任意のページを訪れていて、そのページを読んで何かを考え、興味を掻き立てている瞬間にタイムリーに、そのページに関連する情報を提供できれば、ユーザがその関連情報にも興味を抱いて思わずクリックしてしまう可能性がより高くなると考えられる。
【００１３】
そこで、本発明は、ユーザが任意のページへアクセスするのに応じて時々刻々と変わりうるユーザの興味にマッチする関連情報を、タイムリーに提供するための情報提供システムならびに方法を提供すことを目的とする。
【００１４】
また、検索結果の一覧を表示する方法として、従来技術（４）の場合、検索された各ページには入力したキーワードが含まれていることは自明である。そのため、そのキーワードを含む文を表示することがそのページを代表する情報であるとは限らない、という問題がある。
【００１５】
そこで、本発明は、さらに、結果の一覧表示として、キーワード自体を含む文を表示するのに代わって、各ページの特徴を表現する文（特徴文）を表示して、一覧表示における各ページの内容をより把握しやすくすることを目的とする。
【００１６】
【特許文献１】
特開２００２−４９８３２号公報
【特許文献２】
特開２００２−７８５０号公報
【００１７】
【課題を解決するための手段】
本発明は、Ｗｅｂページを閲覧するブラウザに情報を提供する情報提供方法であって、前記ブラウザの表示領域からユーザが注目したＷｅｂコンテンツの情報を抽出する手順と、抽出した情報から検索キーを生成する手順と、この検索キーに基づいて前記ブラウザへ提供する第２の情報を検索する手順と、第２の情報の検索結果を前記ブラウザのＷｅｂコンテンツとともに表示させる手順と、を含み、ユーザが第２の情報の検索結果を選択したときには、この第２の情報の詳細を前記ブラウザに表示させる。
【００１８】
また、第２の情報は、検索結果の各情報を特徴付ける特徴文で構成される。
【００１９】
【発明の実施の形態】
以下に、添付図を参照して本発明の好適な実施例を詳細に説明する。
【００２０】
図１は、ＷＷＷブラウザから抽出されたユーザの注目情報に関連する広告を、ユーザへ提供するデータフローを示したブロック図である。
【００２１】
１０１は広告情報を提供するサービス会社の情報処理サーバ、１２０は従来のＷＷＷブラウザ部１２１にユーザの注目情報を抽出する注目テキスト抽出部１２２と広告情報を表示する広告表示部１２３を追加した広告提供ブラウザを示す。なお、広告提供ブラウザ１２０は、ネットワークを介して情報処理サーバ１０１と通信可能なクライアントコンピュータ（端末）で実行されるものとする。
【００２２】
また、１３１は広告を提供する契約会社である。契約会社１３１はあらかじめ広告情報をサービス会社の広告情報データベース１０２へ登録しておく。
【００２３】
また、ユーザが広告提供ブラウザ１２０のＷＷＷブラウザ機能１２１を使って、あらかじめ情報処理サーバ１０１に設けられたユーザのポータルサイトを通して、ユーザの嗜好や興味ある分野などの情報を登録しておく（ユーザ情報登録部１０３）。これはユーザの嗜好情報データベース１０４に格納される。
【００２４】
さて、今、ユーザがＷＷＷ上の任意のページを見ていると、注目テキスト抽出部１２２の機能により、ユーザが表示した範囲やマウスでなぞったページ（Ｗｅｂコンテンツ）上の一部領域、または視線入力などの特殊なデバイスを利用していた場合には、ユーザが注視していたページの領域を特定し、そこに含まれるテキスト情報を検索キーとして抽出する。
【００２５】
この抽出したテキスト情報を情報処理サーバ１０１へ送信する。情報処理サーバ１０１では、注目テキスト抽出部１２２からの受信情報と嗜好情報データベース１０４にて事前に格納されたユーザの嗜好情報を用いて、広告検索部１０５にて広告の検索を行う。その検索結果が特徴文抽出部１０６にて各ページをグループ化し、特徴を示す文（特徴文）を抽出し、広告表示のためのページを作成する。
【００２６】
上記作成された広告表示のページが広告提供ブラウザ１２０の広告表示部１２３へ送信され、広告（第２の情報）が表示される。
【００２７】
これにより、ユーザにとって、ＷＷＷページで表示した内容のうち、ユーザが注目した情報に関連のある広告情報がタイムリーに提供され、時々刻々と変化するユーザの興味に対応した広告を迅速に表示することが可能となるのである。
【００２８】
そして、もし、ユーザが広告に興味を持ち、その広告に関連付けられたＵＲＬをクリックすると、情報処理サーバ１０１内の広告情報データベース１０２から読み出された詳細広告が詳細広告提供部１０８より広告提供ブラウザ１２０に送信され、ＷＷＷブラウザ部１２１にてユーザへ提供される。
【００２９】
一方、情報処理サーバ１０１内では、特徴文抽出部１０６にて検索されて広告表示部１２３へ送信された広告に関して広告タイムリー提供の集計部１０７にて集計が行われる。また、ユーザが広告表示部１２３にて広告を選択し、詳細広告提供部１０８にて提供された詳細広告に関して広告アクセス集計部１０９にて集計が行われる。集計課金部１１０にてこれらの集計に対して契約会社毎に課金が行われ、契約会社１３１に広告料を従量課金する。
【００３０】
ところで、注目テキスト抽出部１２２の注目テキストの抽出において、クレジットカード番号などサーバへ送信すべきでない情報を扱わないようにするために、ＳＳＬ等で暗号化されたページからはテキスト情報を抽出しない。これは、ＵＲＬが「ｈｔｔｐｓ：／／」で始まるか否かによって判定することができる。
【００３１】
図２は、ＷＷＷ上の自動的なメタ検索機能を提供する方法を示したデータフロー図である。
【００３２】
メタ検索とは、図中検索サイト２３１や情報サイト２３２などの複数の検索サイトを利用して、それらの検索結果を一度に扱うことができるようにした検索方法である。
【００３３】
図中２０５はメタ検索機能を提供するサービス会社の情報処理サーバである。２２０は図１と同様に、ＷＷＷブラウザ２２１に、注目テキスト抽出部２２２と情報表示部２２３を追加して機能拡張した情報提供ブラウザであり、情報提供ブラウザ２２０は、ネットワークを介して情報処理サーバ２０５と通信可能なクライアントコンピュータで実行される。
【００３４】
ユーザはあらかじめ情報処理サーバ２０５のポータルサイトにて嗜好や興味あるジャンルなどのユーザ情報を登録し（ユーザ情報登録部２０１）、この情報がユーザの嗜好情報データベース２０２に格納される。
【００３５】
今、ユーザがＷＷＷブラウザ部２２１にて任意のページを表示していたとする。上記図１と同様に注目テキストを注目テキスト抽出部２２２にて抽出すると、抽出されたテキストがメタ検索部２０３に送信され、あらかじめ決められたＷＷＷ上の検索サイト２３１や情報サイト２３２へ接続され、抽出テキストを用いて検索を行う。
【００３６】
特徴文抽出部２０４にて上記各サイト２３１、２３２の検索結果から情報を抽出して、ページをグループ化し、特徴文を抽出して、情報提供ブラウザ２２０の情報表示部２２３へ特徴文が第２の情報として提供される。
【００３７】
ここで、もしユーザが情報表示部２２３の情報を選択すると、ＷＷＷブラウザ部２２１にそのページが表示されることとなる。
【００３８】
これにより、ユーザにとって、ＷＷＷページで表示した内容のうち、ユーザが注目した情報に関連のある情報（第２の情報）がタイムリーに提供されることとなり、時々刻々と変化するユーザの興味に対応した第２の情報を迅速に表示することが可能となる。
【００３９】
図３は、注目テキストを抽出する様子を示した模式図である。
【００４０】
３０１はＷＷＷブラウザの表示部を示し、「ＡＡＡ……」で示したものが表示されたテキスト情報であるとする。
【００４１】
今、ユーザがマウスカーソル３０３を用いて、テキスト情報のある領域部分３０２を指し示したとする。注目テキスト抽出部１２２、２２２では、マウスカーソル３０３がその領域に入っていた時間を累積する。各領域はＨＴＭＬ毎に用意されており、それぞれの領域におけるマウスカーソル３０３の滞在時間を累積し、累積時間が一定のしきい値を超えた領域に含まれるテキスト情報が注目テキストであるとして抽出される。この処理を一定周期毎に繰り返す。尚、上記各領域は、例えば、元のＨＴＭＬが持っているタグの他に注目テキストをより詳細に判定するため、長いテキストを一定文字数毎に、表示に影響の少ない所定のタグで挟んで小領域を生成したもので、この小領域の生成タイミングは、例えば、ページをＷＷＷブラウザ部２２１に読み込んだ直後に行えばよい。
【００４２】
また、スクロールバー３０６によって表示する範囲を変えた場合、表示されたページ領域の最初の部分３０４と最後の部分３０５を検出して、その間に含まれるテキスト情報を表示情報として抽出する。表示情報はユーザに提示されているため、その瞬間にユーザが読む可能性がある範囲を示している。
【００４３】
したがって、マウスカーソル３０３の滞在時間や、スクロールバー３０６の操作による表示範囲（表示情報）など、ユーザのブラウザ操作の履歴に基づいて、注目テキストの抽出領域を的確に特定できる。
【００４４】
図４は、タブメニュー型の広告提供ブラウザ（または情報提供ブラウザ）のグラフィックユーザインタフェース（以下、ＧＵＩ）を示した模式図である。
【００４５】
４０１がブラウザを示す。４０８は従来のＷＷＷブラウザの表示部（第１の表示領域）を示す。また、「戻る」４０２、「進む」４０３、「再読込み」４０４、「ホームページ」４０５、「読込み中止」４０６、ＵＲＬ入力部４０７のような従来のＷＷＷブラウザにあるボタン等も備えている。図４の左側には、既に上述の情報処理サーバ１０１や２０５によってタイムリーにグループ化された広告（情報）が表示されている様子を示し、後述のボタン４０９、４１４や特徴文４１０〜４１３が表示される領域が広告表示領域（第２の表示領域）となる。
【００４６】
図４では、４つのグループ特徴文の一部が４１０、４１１、４１２、４１３の部分に表示されている。また、表示されていないグループが存在する場合には、４０９や４１４のボタンを押すことによって、上下に移動させることができる。更に、それぞれの特徴文の部分４１０〜４１３にはＵＲＬのリンクが貼られており、ユーザがクリックすることによって、そのグループに所属する項目（Ｗｅｂページの内容など）を表示することができる。
【００４７】
したがって、注目テキストで検索した結果の一覧表示として、検索キーワードとなる注目テキスト自体を含む文章を表示するより、各Ｗｅｂページの特徴を表現する文（特徴文）を表示することによって各ページの内容をより把握しやすくなり、各特徴文にＵＲＬのリンクを貼っておくことでユーザにクリックを促す効果を増大させることができる。特に、検索対象のページが、データベースやジャンルなどが絞られていて１ページ中に多様な情報が含まれないような場合においては、より効果的である。
【００４８】
さらに、各グループの特徴を示す単語（特徴語）を強調することによって、ユーザにより分かりやすくすることができる。例えば、特徴文４１０では「うどん」、「うまい」などである。
【００４９】
図５は、上記図４に示したタブメニュー型のブラウザにおいて、グループ化された検索結果の一覧を示した模式図である。
【００５０】
図４の特徴文４１０をクリックして選択した場合を示している。サブウインド５０１の部分には、グループを示す特徴文の一部が表示され、特徴文４１０に含まれる一覧は５０２の広告（情報）表示部分に表示される。この広告表示部５０２に表示し切れない広告（情報）についてはスクロールバー５０４を操作することによって表示することができる。各一覧にはＵＲＬのリンクが貼られており、例えばリンク５０３をクリックすることによって選択すると、ＷＷＷブラウザ表示部５０５にその詳細広告（またはオリジナル情報）が表示される。
【００５１】
このように、図４で示した特徴文をクリックすることでさらに詳細な情報が広告表示部５０２に表示されるので、ユーザが興味を持った特徴文４１０に関する情報を、ＷＷＷブラウザ表示部５０５を占有することなく伝達することができ、さらに、リンク５０３をクリックしてから初めてＷＷＷブラウザ部５０５に広告に関するＷｅｂページを表示するので、ユーザは自らの意志に基づいて違和感なく広告を閲覧できるのである。
【００５２】
図６は、階層表示型の広告提供ブラウザ（または情報提供ブラウザ）のＧＵＩを示した模式図である。
【００５３】
６０１が提供情報を表示する部分であり、グループおよびその中の項目がツリー構造として表示される。グループの特徴文の一部６０５はルートの幹６０２にぶら下がる形で表示される。
【００５４】
６０３のノードをクリックすることによって図のように、そのグループに所属する一覧の特徴文の一部が枝６０４として展開されて表示される。このノード６０３に関連する枝６０４の各特徴文にはＵＲＬのリンク６０６が貼られており、例えば６０６の特徴文を選択した場合には、その詳細広告（またはオリジナル情報）がＷＷＷブラウザの表示部６０８にて表示される。
【００５５】
情報提供部６０１の一覧表示のうち表示されていない部分についてはスクロールバー６０７を操作することによって表示することができる。
【００５６】
この階層表示型のブラウザにおいても、ノード６０３をクリックすることでさらに詳細な情報が枝６０４として展開されるので、ユーザが興味を持った特徴文４１０に関する情報を、ＷＷＷブラウザ表示部６０８を占有することなく伝達することができ、さらに、リンク６０６をクリックしてから初めてＷＷＷブラウザ表示部６０８に広告に関するＷｅｂページを表示するので、ユーザは違和感なく広告を閲覧できるのである。
【００５７】
図７は、宇宙表示型の広告提供ブラウザ（または情報提供ブラウザ）のＧＵＩを示した模式図である。
【００５８】
７１０のＷＷＷブラウザ部分と７０１の提供情報の表示部にウインドーが分離して表示されている。
【００５９】
提供情報表示部７０１の各グループは太陽型のマーク７０５で示され、グループの特徴文が吹出し７０４として表示されている。マウス操作によって表示する範囲を移動することができ、吹出しの無い太陽型マークにも、マウスを近づけると吹出しが表示される。
【００６０】
ユーザが太陽型マーク（シンボル）７０５をクリックして選択することによって、例えば７０９のような天球（第３表示領域）を開くことができる。また、その北半球部分が表示され、マウス操作によって赤道７０８に沿った方向へ回転させることができる。この天球の表面には星型マーク７０７が貼りついており、そのグループに所属する検索結果の一覧を意味する。各星形マーク７０７にはそれぞれの特徴文が吹出し７０６として表示されている。
【００６１】
北極点７０２はそのグループを示す特徴文の吹出し７０３がついている。また、北極点７０２をクリックすることによって、この天球を閉じることができる。そして、他の太陽型マーク７０５をクリックして選択することで新たな天球７０９を表示することができる。
【００６２】
この宇宙表示型のブラウザ７１０においても、太陽型マーク７０５をクリックすることでさらに詳細な情報が天球７０９として展開されるので、ユーザが興味を持った特徴文に関する情報を伝達することができ、さらに、天球７０９内の星形マーク７０７をクリックしてから初めてＷＷＷブラウザ７１０に広告に関するＷｅｂページを表示するので、ユーザは違和感なく広告を閲覧できるのである。
【００６３】
さらに、宇宙表示型ブラウザ７１０では、広告または情報のグループを代表する特徴文が吹き出し７０４内に表示され、この吹き出し７０４に対応する太陽型マーク７０５をクリックすることで、吹き出し７０４の特徴文に対応する天球７０９が展開し、吹き出し７０４のグループの詳細を天球７０９内の吹き出し７０６で閲覧でき、太陽型マーク７０５や星形マーク７０７をクリックするごとに表示形態が変化していくので、変化のあるＷＷＷブラウザを提供しながら、吹き出し内に短文で構成された特徴文を採用することで、リンクの主旨を正確に伝達することが可能になる。
【００６４】
図８は、携帯端末を利用した広告提供ブラウザ（情報提供ブラウザ）のＧＵＩを示した模式図である。
【００６５】
８０１はコンテンツ表示部である。８０４は操作部であり、上下ボタンによって画面上のカーソルを上下に移動し、左右ボタンによってコンテンツの前進と戻りを行い、ＯＫボタンによって確定を行う。
【００６６】
図８では、既に提供情報（広告情報）がポップアップされた表示パネル（ポップアップ表示部）８０３にて「お薦め情報」として表示された例を示す。図中８０５のように特徴文の一部が表示され、各特徴文８０５のそれぞれにＵＲＬのリンクが貼られている。８０４の上下ボタンで選択し、確定すると、表示パネル８０３が消えて、コンテンツ表示部８０１に詳細情報が表示される。
【００６７】
また、表示パネル８０３にてカーソルを上に操作して表示内容を下にスクロールして行くと、８０５の次に８０２のパネル閉じボタンが現れて、何も選択せずに表示パネル８０３を閉じたい場合には、この閉じボタン８０２を選択するとよい。
【００６８】
図９は、上記特徴文抽出部１０６または２０４を主とする動作を示し、検索結果から特徴文の部分を抽出するためのデータフローを示したブロック図であり、グループ化の機能がない場合を示している。
【００６９】
ユーザ９０５がＷＷＷ上のページを情報提供ブラウザ９０６上に表示したとき、そのブラウザから注目テキストが抽出され検索リクエスト部９０７にて検索リクエストが検索エンジンへ伝えられる。
【００７０】
例えば、メタ検索の場合は、図中の検索エンジンＡ（９０８）にて、インターネットを介して検索サイトや情報サイト９０２にて検索が行われ、その結果が９０３テキスト抽出部に送られて情報が抽出され、検索結果リストとして９１０へ送られる。
【００７１】
また別の経路では、あらかじめＷｅｂロボット９０１によってインターネット上の情報が収集されて９０３にてテキスト情報が抽出され、テキストデータベース９０４に格納される。また、検索リクエスト部９０７にて発行された検索リクエストは、検索エンジンＢ（９０９）にてテキストデータベース９０４中を検索し、その検索結果が検索結果リスト９１０として出力される。
【００７２】
検索結果リスト９１０には情報元９１１が一覧されており、各情報元９１１のそれぞれに対するテキスト（文章）９１２が用意される。それぞれのテキスト９１２は、形態素解析部９１３にて形態素解析をベースとする品詞分析が行われ、正規化部９１４にて名詞と形容詞のみ抽出されて単語の語尾が正規化（変化形の場合、統一化）される。
【００７３】
正規化の後、特徴度算出部９１５では、検索結果集合間においてそれらの単語の特徴度が算出される。各検索結果における各単語は、機能語接続部９１６にて正規化前の語尾へ戻され、助詞や接頭語などの機能語が接続される。
【００７４】
領域抽出部９１７は、各文の中において、それら変形された単語の特徴度をスコアとして、一定長さ中におけるスコアが高い領域を抽出する。この抽出した領域を各検索結果における特徴文の一部分９１８として出力する。これら特徴文部分９１８は、各検索結果に対応する特徴文の部分が一覧されており、この一覧を情報提供ブラウザ９０６に送信し、ユーザに提供される。
【００７５】
このように、ユーザが注目した抽出テキストよりテキストデータベース９０４の検索を行った結果から、形態素解析と正規化後の特徴度の算出により、特徴度の高い領域を特徴文として抽出することで、短い文章でありながら各情報元の概要を的確に表現できるのである。
【００７６】
図１０は、広告提供（または情報提供）ブラウザ１２０、２２０の広告情報の提供に関する動作手順を示したＰＡＤ（Ｐｒｏｇｒａｍ  Ａｎａｌｙｓｉｓ  Ｄｉａｇｒａｍ）図である。
【００７７】
この処理は上記図１の注目テキスト抽出部１２２と広告表示部１２３に相当し、また、上記図２の注目テキスト抽出部２２２と情報表示部２２３に相当するもので、従来のＷＷＷブラウザ部１２１または２２１とは並列に動作していることを想定している。
【００７８】
ステップ１００２にてブラウザ画面にて関連するイベント検出が行われるまでループを行い、ステップ１００３にてイベントを検出すると、ステップ１００２のループを抜ける。
【００７９】
ループを抜けた後は、ステップ１００４にてイベントの内容が判定され、イベントの内容が注目テキストの検出である場合は、ステップ１００５へ進み、そのテキストの抽出を行う。
【００８０】
ステップ１００６では、ステップ１００５で抽出されたテキストを情報処理サーバ１０１または２０５へ送信し、ステップ１００７にて広告グループ情報や詳細情報を情報処理サーバから取得する。そして、ステップ１００８にてブラウザに広告グループの特徴文を表示する。
【００８１】
もし、ユーザが広告グループをクリックすると、ステップ１００４にてイベントが判定され、ステップ１００９でその広告グループ内に所属する広告をブラウザへ表示する。また、更に広告がユーザにクリックされると、ステップ１００４でイベントが判定されステップ１０１０にて広告ページがブラウザに表示される。１００１にて以上の動作をブラウザ終了まで繰り返す。
【００８２】
図１１は、上記図１の広告提供サービスにおける情報処理サーバ１０１の動作手順を示したＰＡＤ図である。
【００８３】
対象となる広告提供ブラウザ１２０毎にサーバプロセスが動作していることを想定している。情報処理サーバ１０１はステップ１１０２のループにて、広告提供ブラウザ１２０からの通信を待機し、ステップ１１０３にて通信を検出すると、ステップ１１０２のループを抜け、ステップ１１０４にて、広告提供ブラウザ１２０からのユーザの注目テキストを受信し、ステップ１１０５にて注目テキストから複数の特徴語を抽出する。
【００８４】
ステップ１１０６では、抽出した複数の特徴語とユーザのプロファイルの嗜好情報を用いて広告情報データベース１０２を検索し、ステップ１１０７にて、検索された広告文章をクラスタリングして、予め設定した個数のグループに分割する。
【００８５】
次のステップ１１０８にて、そのグループ間にて、各グループの特徴文を上記図９と同様にして抽出し、ステップ１１０９では更に各グループの所属する広告の間で各広告を特徴付ける特徴文を抽出する。そして、ステップ１１１０では、これらグループ特徴文と各広告特徴文を広告提供ブラウザ１２０へ送信し、ステップ１１０１にてサーバが終了するまでループする。
【００８６】
以上の処理により、ユーザのブラウザ操作から注目テキストを自動的に抽出し、この注目テキストから特徴語を複数抽出して広告を検索し、この検索結果を相互に差別化して所定数のグループに分け、さらに、グループ内を特徴付ける特徴文と、各グループ内の各広告を特徴付ける特徴文をそれそれ抽出することで、上記図５から図８で示したブラウザには、ユーザの現在の興味に近い広告を、短文の特徴文により各広告の主旨を明確に伝達しながらも、ブラウザの広告表示面積を縮小できるのである。
【００８７】
また、ユーザのプロファイル（嗜好情報）を用いることにより、ブラウザから抽出したテキストによる広告の検索の際に、ユーザに最適の結果を得ることが可能となる。
【００８８】
図１２は、上記図２の情報提供サービスの情報処理サーバ２０５において、ＷＷＷ上の情報を収集する方法を示したデータフロー図である。
【００８９】
インターネットを経由してサイトＡ、サイトＢ、サイトＣがそれぞれ１２０１、１２０２、１２０３のようにあったとする。これらは、データベースと連動して自動的にページを生成する検索サイトや情報サイトを想定している。
【００９０】
１２０４のＷｅｂロボットシステム（図９の９０１に該当）は、あらかじめ登録されたサイトＡ、サイトＢ、サイトＣに対して情報収集を行う。これら複数のサイトから取得された情報のうち、ＨＴＭＬファイルは１２０５のテキスト抽出エンジン（図９の９０３に該当）へ渡される。
【００９１】
このテキスト抽出エンジン１２０５は、定型フォーマットのＨＴＭＬファイルに対し、対応するスクリプトなどの情報収集規則を用意しておくことで目的とするテキスト情報を収集することができる。このスクリプトをデータベースとして格納したのがスクリプトデータベース１２０７である。各スクリプト１２０９は、サイト毎、定型フォーマット毎にそれぞれ準備されている。例えば、スクリプト１２０８はサイトＡの定型フォーマット１に対して用意されたスクリプトＡ１である。また、テキスト抽出エンジン１２０５は、取得したＨＴＭＬファイルに対して対応するスクリプトを適用することで、目的とするテキスト情報を抽出することができる。
【００９２】
このようなスクリプトの一例としては、既存技術として、ＸＭＬ構文を変換するＸＳＬＴなどが利用できるが、その際にはＨＴＭＬファイルはＸＭＬに準拠したＸＨＴＭＬである必要があるため、ＸＭＬに準拠しないＨＴＭＬファイルや構造が壊れたＨＴＭＬが存在する現状では一般的には使用できない。そこで、実運用上、ＸＭＬ準拠のデータ構造を仮定せずに、タグやテキストのパターンマッチングのみによって特定のテキストを突き止める手法が効果的である。その場合、上記スクリプトはそのパターンや手順を示したコマンド列を含んだものとなる。
【００９３】
このように、サイト毎、定型フォーマット毎にスクリプトを予め用意しておくことで、目的とするテキスト情報を的確かつ迅速に収集することが可能となるのである。
【００９４】
図１３は、上記図１の情報処理サーバ１０１にプロキシを付加したもので、プロキシを経由したユーザのアクセス情報に関連する広告を、ユーザへ提供するデータフローを示したブロック図である。
【００９５】
上記図１との違いは、広告提供ブラウザ１３２０から注目テキストの抽出部を削除し、サービス会社の情報処理サーバ１３０１にプロキシ部１３０２とプロキシからの情報収集部１３０３を備えていることである。
【００９６】
データフローとしては、プロキシ部１３０２を経由してＷＷＷへアクセスするように登録したＷＷＷブラウザ１３２１を用いて、ユーザがＷＷＷへアクセスすると、そのＷＥＢコンテンツをＷＷＷブラウザ１３２１に表示すると同時に、情報収集部１３０３にてプロキシ部１３０２からそのＷＥＢコンテンツに含まれる情報を収集し、キーワードまたは文章を抽出して、広告検索１３０４へ送付される。その後は、上記図１と同様な処理が行われ、広告表示部１３２２にて広告が表示される。
【００９７】
また、プロキシ部を利用したモデルとして、上記図２に示した情報処理サーバ２０５に、図１３と同様にプロキシ部と情報収集部を設けてもよい。
【００９８】
なお、上記実施形態においては、ＷＷＷブラウザ部１２１に表示されたテキストからユーザの注目したテキストを抽出し、この抽出テキストを検索キーとして広告情報データベース１０２から、ユーザの興味に適した広告を検索する一例について述べたが、ＷＷＷブラウザ部１２１に表示された画像データのうち、ユーザが注目した画像データを抽出して、この画像データを検索キーとしてユーザの興味に適した広告を検索してもよい。
【００９９】
この場合、画像データからテキストを推定して広告情報データベース１０２から広告を検索することができ、例えば、「単語群付き画像の分割クラスタリングによる未知画像からの関連単語推定」（森  靖英、高橋  裕信、岡  竜一  著、電子情報通信学会論文誌  Ｄ−ＩＩ、Ｖｏｌ．８４−ＤＩＩ、Ｎｏ．４  平成１３年４月  電子情報通信学会編）の第６４９頁から第６５８頁に開示される技術に基づいて、画像データからテキストを推定し、このテキストを検索キーすることができる。
【０１００】
あるいは、広告情報データベース１０２に画像データを格納しておき、ユーザが注目した画像データを検索キーとして、広告情報データベース１０２の画像データを検索しても良く、画像データを検索キーとして画像データを検索する技術としては、「Ｑｕｅｒｙ  ｂｙ  ｉｍａｇｅａｎｄ  ｖｉｄｅｏ  ｃｏｎｔｅｎｔ：  Ｔｈｅ  ＱＢＩＣ  ｓｙｓｔｅｍ」（Ｍ．Ｆｌｉｃｋｎｅｒ、Ｈ．Ｓａｗｈｎｅｙ他著、ＩＥＥＥ  Ｃｏｍｐｕｔｅｒ，  ｖｏｌ．  ２８，  ｎｏ．  ９，  ｐｐ．  ２３−−３２，  Ｓｅｐｔｅｍｂｅｒ  １９９５）の第２３頁から第３２頁に開示されるものを適用することができる。
【０１０１】
また、上記実施形態においては、情報処理サーバ１０１に広告検索部１０５と特徴文抽出部１０６を実装した例を示したが、クライアントコンピュータ側、すなわち、広告提供ブラウザ１２０側に広告検索部と特徴文抽出部を実装しても良く、上記と同様の作用効果を得ることができる。この場合、情報処理サーバ１０１は、嗜好情報データベース１０４と広告情報データベース１０２のデータベース処理と、契約会社１３１への課金情報を管理すればよいので、構成を簡易にできる。
【０１０２】
また、上記実施形態においては、時々刻々と変化するユーザの興味に対応する広告を提供する場合を主に説明したが、広告に限定されるものではなく、ユーザの興味に対応する情報（例えば、ニュースやサイト情報など）を提供するものであればよい。
【０１０３】
また、Ｗｅｂページを閲覧するブラウザに情報を提供する情報提供方法であって、前記ブラウザの表示領域からユーザが注目したＷｅｂコンテンツの情報を抽出する手順と、抽出した情報から検索キーを生成する手順と、この検索キーに基づいて前記ブラウザへ提供する第２の情報を検索する手順と、第２の情報の検索結果を前記ブラウザのＷｅｂコンテンツとともに表示させる手順と、を含み、前記抽出した情報から検索キーを生成する手順は、前記抽出情報から複数の特徴語を抽出し、これら複数の特徴語を検索キーとすることを特徴とする情報提供方法。
【０１０４】
また、Ｗｅｂページを閲覧するブラウザに情報を提供する情報提供方法であって、前記ブラウザの表示領域からユーザが注目したＷｅｂコンテンツの情報を抽出する手順と、抽出した情報から検索キーを生成する手順と、この検索キーに基づいて前記ブラウザへ提供する第２の情報を検索する手順と、第２の情報の検索結果を前記ブラウザのＷｅｂコンテンツとともに表示させる手順と、を含み、ユーザが第２の情報を選択したときには、この第２の情報の詳細を前記ブラウザに表示させることを特徴とする情報提供方法。
【０１０５】
また、Ｗｅｂページを閲覧するブラウザに情報を提供する情報提供方法であって、前記ブラウザの表示領域からユーザが注目したＷｅｂコンテンツの情報を抽出する手順と、抽出した情報から検索キーを生成する手順と、この検索キーに基づいて前記ブラウザへ提供する第２の情報を検索する手順と、第２の情報の検索結果を前記ブラウザのＷｅｂコンテンツとともに表示させる手順と、を含み、前記第２の情報の検索結果をブラウザのＷｅｂコンテンツとともに表示させる手順は、第２の情報の検索結果から各情報の特徴文を抽出する手順と、この特徴文を前記ブラウザに表示する手順とを含み、前記特徴文を強調して表示することを特徴とする情報提供方法。
【０１０６】
また、Ｗｅｂページを閲覧するブラウザに情報を提供する情報提供方法であって、前記ブラウザの表示領域からユーザが注目したＷｅｂコンテンツの情報を抽出する手順と、抽出した情報から検索キーを生成する手順と、この検索キーに基づいて前記ブラウザへ提供する第２の情報を検索する手順と、第２の情報の検索結果を前記ブラウザのＷｅｂコンテンツとともに表示させる手順と、を含み、前記第２の情報の検索結果をブラウザのＷｅｂコンテンツとともに表示させる手順は、第２の情報の検索結果から各情報の特徴文を抽出する手順と、この特徴文を前記ブラウザに表示する手順とを含み、前記特徴文を抽出する手順は、第２の情報の複数の検索結果をグループ化するとともに、グループ間で各グループ内を特徴付ける特徴文を抽出し、前記ブラウザに表示する手順は、前記グループ毎の特徴文を強調して一覧表示する。
【０１０７】
また、ネットワークを介して接続された端末のブラウザに情報を提供する情報提供サーバであって、前記端末が閲覧したＷｅｂコンテンツの情報から検索キーを抽出する検索キー抽出手段と、前記検索キーに基づいて予め設定したデータベースまたはＷｅｂサイトの少なくとも一方から第２の情報を検索する情報検索手段と、前記第２の情報の検索結果を前記端末のブラウザに送信し、前記Ｗｅｂコンテンツとともに第２の情報を表示させる第２情報送信手段とを備え、前記情報検索手段は、前記検索キーに加えて予め設定したユーザ情報に基づいて検索することを特徴とする情報提供サーバ。
【０１０８】
また、ネットワークを介して接続された端末のブラウザに情報を提供する情報提供サーバであって、前記端末が閲覧したＷｅｂコンテンツの情報から検索キーを抽出する検索キー抽出手段と、前記検索キーに基づいて予め設定したデータベースまたはＷｅｂサイトの少なくとも一方から第２の情報を検索する情報検索手段と、前記第２の情報の検索結果を前記端末のブラウザに送信し、前記Ｗｅｂコンテンツとともに第２の情報を表示させる第２情報送信手段とを備え、前記情報検索手段は、前記検索キーに加えて予め設定したユーザ情報に基づいて検索し、前記第２情報送信手段は、前記第２の情報の検索結果から各情報の特徴文を抽出する特徴文抽出手段を有し、この特徴文を前記ブラウザに送信することを特徴とする情報提供サーバ。
【０１０９】
また、ネットワークを介して接続された端末のブラウザに情報を提供する情報提供サーバであって、前記端末が閲覧したＷｅｂコンテンツの情報から検索キーを抽出する検索キー抽出手段と、前記検索キーに基づいて予め設定したデータベースまたはＷｅｂサイトの少なくとも一方から第２の情報を検索する情報検索手段と、前記第２の情報の検索結果を前記端末のブラウザに送信し、前記Ｗｅｂコンテンツとともに第２の情報を表示させる第２情報送信手段とを備え、前記情報検索手段は、Ｗｅｂサイト毎に予め設定した情報収集規則に従って検索を実行することを特徴とする情報提供サーバ。
【０１１０】
また、ネットワークを介して接続された端末のブラウザに情報を提供する情報提供サーバであって、前記端末が閲覧したＷｅｂコンテンツの情報から検索キーを抽出する検索キー抽出手段と、前記検索キーに基づいて予め設定したデータベースまたはＷｅｂサイトの少なくとも一方から第２の情報を検索する情報検索手段と、前記第２の情報の検索結果を前記端末のブラウザに送信し、前記Ｗｅｂコンテンツとともに第２の情報を表示させる第２情報送信手段とを備え、前記第２情報送信手段は、前記第２の情報の検索結果から各情報の特徴文を抽出する特徴文抽出手段を有し、この特徴文を前記ブラウザに送信し、前記特徴文抽出手段は、前記第２の情報の複数の検索結果をグループ化するとともに、グループ間でグループ内を特徴付ける特徴文を抽出し、前記第２情報送信手段は、グループ毎の特徴文をブラウザに送信することを特徴とする情報提供サーバ。
【０１１１】
また、ネットワークを介して接続された端末のブラウザに情報を提供する情報提供サーバであって、前記端末が閲覧したＷｅｂコンテンツの情報から検索キーを抽出する検索キー抽出手段と、前記検索キーに基づいて予め設定したデータベースまたはＷｅｂサイトの少なくとも一方から第２の情報を検索する情報検索手段と、前記第２の情報の検索結果を前記端末のブラウザに送信し、前記Ｗｅｂコンテンツとともに第２の情報を表示させる第２情報送信手段とを備え、前記第２情報送信手段は、前記第２の情報の検索結果から各情報の特徴文を抽出する特徴文抽出手段を有し、この特徴文を前記ブラウザに送信し、前記特徴文は、前記第２の情報のＵＲＬに関連付けられたことを特徴とする情報提供サーバ。
【０１１２】
また、ネットワークを介して接続された端末のブラウザに情報を提供する情報提供サーバであって、前記端末が閲覧したＷｅｂコンテンツの情報から検索キーを抽出する検索キー抽出手段と、前記検索キーに基づいて予め設定したデータベースまたはＷｅｂサイトの少なくとも一方から第２の情報を検索する情報検索手段と、前記第２の情報の検索結果を前記端末のブラウザに送信し、前記Ｗｅｂコンテンツとともに第２の情報を表示させる第２情報送信手段とを備え、前記情報提供サーバは、プロキシを有して前記端末またはＷｅｂサイトとの通信を行うことを特徴とする情報提供サーバ。
【０１１３】
また、ネットワークを介して接続された端末のブラウザに情報を提供する情報提供サーバであって、前記端末が閲覧したＷｅｂコンテンツの情報から検索キーを抽出する検索キー抽出手段と、前記検索キーに基づいて予め設定したデータベースまたはＷｅｂサイトの少なくとも一方から第２の情報を検索する情報検索手段と、前記第２の情報の検索結果を前記端末のブラウザに送信し、前記Ｗｅｂコンテンツとともに第２の情報を表示させる第２情報送信手段とを備え、前記第２情報送信手段は、前記第２の情報の検索結果から各情報の特徴文を抽出する特徴文抽出手段を有し、この特徴文を前記ブラウザに送信し、前記情報提供サーバは、プロキシを有して前記端末またはＷｅｂサイトとの通信を行うことを特徴とする情報提供サーバ。
【０１１４】
また、ネットワークを介して接続された端末のブラウザに情報を提供する情報提供サーバであって、前記端末が閲覧したＷｅｂコンテンツの情報から検索キーを抽出する検索キー抽出手段と、前記検索キーに基づいて予め設定したデータベースまたはＷｅｂサイトの少なくとも一方から第２の情報を検索する情報検索手段と、前記第２の情報の検索結果を前記端末のブラウザに送信し、前記Ｗｅｂコンテンツとともに第２の情報を表示させる第２情報送信手段とを備え、ユーザが前記第２の情報を選択したことを検出する検出手段と、この第２の情報の選択を検出したときには第２の情報の詳細情報を送信する詳細情報送信手段とを備えたことを特徴とする情報提供サーバ。
【０１１５】
また、ネットワークを介して接続された端末のブラウザに情報を提供する情報提供サーバであって、前記端末が閲覧したＷｅｂコンテンツの情報から検索キーを抽出する検索キー抽出手段と、前記検索キーに基づいて予め設定したデータベースまたはＷｅｂサイトの少なくとも一方から第２の情報を検索する情報検索手段と、前記第２の情報の検索結果を前記端末のブラウザに送信し、前記Ｗｅｂコンテンツとともに第２の情報を表示させる第２情報送信手段とを備え、前記第２情報送信手段は、前記第２の情報の検索結果から各情報の特徴文を抽出する特徴文抽出手段を有し、この特徴文を前記ブラウザに送信し、ユーザが前記第２の情報を選択したことを検出する検出手段と、この第２の情報の選択を検出したときには第２の情報の詳細情報を送信する詳細情報送信手段とを備えたことを特徴とする情報提供サーバ。
【０１１６】
また、ネットワークを介してＷｅｂコンテンツを表示させるプログラムであって、Ｗｅｂコンテンツを第１の表示領域に表示する表示手段と、この第１の表示領域でユーザが注目した情報を抽出する注目情報抽出手段と、この情報を検索キーとして検索した結果を第２情報として予め設定した第２の表示領域に表示させる第２表示手段と、を含み、前記第２表示手段は、前記第２の情報を特徴付ける特徴文として表示するとともに、この特徴文には第２の情報を示すＵＲＬを関連付けて表示することを特徴とするプログラム。
【０１１７】
また、ネットワークを介してＷｅｂコンテンツを表示させるプログラムであって、Ｗｅｂコンテンツを第１の表示領域に表示する表示手段と、この第１の表示領域でユーザが注目した情報を抽出する注目情報抽出手段と、この情報を検索キーとして検索した結果を第２情報として予め設定した第２の表示領域に表示させる第２表示手段と、を含み、前記注目情報抽出手段は、ユーザの表示操作の履歴に基づいてＷｅｂコンテンツから抽出する領域を決定し、この領域内の情報をユーザが注目した情報として抽出し、前記第２表示手段は、前記第２の情報を特徴付ける特徴文として表示するとともに、この特徴文には第２の情報を示すＵＲＬを関連付けて表示することを特徴とするプログラム。
【０１１８】
また、上記プログラムにおいて、前記第２表示手段は、前記特徴文を複数のグループに分けて表示を行い、各グループを代表する特徴文には各グループ内の特徴文を指し示すリンクを設けたことを特徴とするプログラム。
【０１１９】
また、上記プログラムにおいて、前記第２表示手段は、前記特徴文を複数のグループに分けて一覧表示を行い、各グループを代表する特徴文に含まれる特徴語を強調して表示することを特徴とするプログラム。
【０１２０】
また、上記プログラムにおいて、前記第２表示領域は、各グループとグループ内の特徴文を階層型で表示することを特徴とするプログラム。
【０１２１】
また、上記プログラムにおいて、前記第２表示領域は、各グループとグループ内の特徴文を予め設定したシンボルに沿って表示することを特徴とするプログラム。
【０１２２】
また、上記プログラムにおいて、前記シンボルには各グループ内の特徴文を指し示すリンクを備え、当該リンクを選択した場合には第３表示領域を展開して、この第３表示領域内に各特徴文を指し示すシンボルを配置することを特徴とするプログラム。
【０１２３】
また、Ｗｅｂページを閲覧するブラウザに広告を提供する情報提供方法であって、
前記ブラウザの表示領域からユーザが注目したＷｅｂコンテンツの情報を抽出する手順と、
抽出した情報から検索キーを生成する手順と、
この検索キーに基づいて前記ブラウザへ提供する第２の情報を検索する手順と、
第２の情報の検索結果を前記ブラウザのＷｅｂコンテンツとともに表示させる手順と、
ユーザが前記第２の情報を選択したことを検出する手順と、
前記検出結果に基づいて広告主への課金情報を算出する手順と、
を含むことを特徴とする情報提供方法。
【０１２４】
【発明の効果】
したがって、本発明は、ユーザが任意のＷｅｂコンテンツをブラウズすると、Ｗｅｂコンテンツに関連した広告や情報がタイムリーに提供されるため、ユーザが今現在ページを見ながら興味を抱いていることに関連した広告や情報を手に入れることが可能となる。これにより、ユーザに広告や情報を選択するように促すことができる。また、広告や情報の一覧において、その出力された集合内にて各広告や情報を特徴付ける特徴文が表示されるため、情報自体の違いがユーザにとって把握しやすくなって、広告などの情報のスポンサーは効果的にユーザへ広告などの情報を提供できるようになるため広告効果の向上が期待され、ユーザにとっても興味を抱いたときに興味をそそる情報が提示されるためタイムリーな情報収集操作が容易になる。
【図面の簡単な説明】
【図１】本発明の実施の形態を示し、システムの概略及びデータフローを示すブロック図である。
【図２】同じくメタ検索を利用したシステムの概略及びデータフローを示すブロック図である。
【図３】注目テキストを抽出する様子を示した模式図である。
【図４】タブメニュー型の広告提供ブラウザ（または情報提供ブラウザ）のＧＵＩを示した模式図である。
【図５】同じくタブメニュー型のブラウザにおいて、グループ化された検索結果の一覧を示した模式図である。
【図６】階層表示型の広告提供ブラウザ（または情報提供ブラウザ）のＧＵＩを示した模式図である。
【図７】宇宙表示型の広告提供ブラウザ（または情報提供ブラウザ）のＧＵＩを示した模式図である。
【図８】携帯端末の広告提供ブラウザ（情報提供ブラウザ）のＧＵＩを示した模式図である。
【図９】検索結果から特徴文の部分を抽出するデータフローを示すブロック図である。
【図１０】広告提供（または情報提供）ブラウザの広告情報の提供に関する動作手順を示したＰＡＤ図である。
【図１１】広告提供サービスにおける情報処理サーバの動作手順を示したＰＡＤ図である。
【図１２】情報提供サービスの情報処理サーバにおいてＷＷＷ上の情報を収集する方法を示したデータフロー図である。
【図１３】プロキシを経由したユーザのアクセス情報に関連する広告を、ユーザへ提供するデータフローを示したブロック図である。
【符号の説明】
１０１  情報処理サーバ
１０２  広告情報データベース
１０４  嗜好情報データベース
１０５  広告検索部
１０６  特徴文抽出部
１２０  広告提供ブラウザ
１２１  ＷＷＷブラウザ部
１２２  注目テキスト抽出部
１２３  広告表示部
【図１】
2004348241.tif 000003
【図２】
2004348241.tif 000004
【図３】
2004348241.tif 000005
【図４】
2004348241.tif 000006
【図５】
2004348241.tif 000007
【図６】
2004348241.tif 000008
【図７】
2004348241.tif 000009
【図８】
2004348241.tif 000010
【図９】
2004348241.tif 000011
【図１０】
2004348241.tif 000012
【図１１】
2004348241.tif 000013
【図１２】
2004348241.tif 000014
【図１３】
2004348241.tif 000015